(57)【特許請求の範囲】
【請求項１】
レールの上下方向両側でレールの長手方向へ延設した頭部と台部との間にその頭部及び台部に沿って延設したウェブに対しレールに対する取付状態で連結孔をレールの幅方向へ穿つレール穿孔機において、
駆動源とこの駆動源に連動して回転するカッター着脱部を有するカッター支持機構とを備えた駆動ユニットと、その駆動ユニットを支持する支持台とを備え、
レールに対する取付状態で、前記駆動ユニットと支持台とがレールの頭部上面よりも下方でレールにおける頭部や台部やウェブの幅方向側面よりも幅方向両側のうち片側に配置され、
この支持台の長手方向両端部にはレールの頭部下面と台部上面とに当てがわれて支持台の上下方向の動きを規制する支持面を有する支持板を設けるとともに、この両支持板にはレールにおける頭部の幅方向の側面と台部の幅方向の側面とに当てがわれる側面を設け、
この両支持板間で支持台にはレールの頭部と台部との間でウェブの幅方向側面に吸着される吸着面を有する磁力吸着部を設け、この磁力吸着部の吸着面を両支持板における上側支持面と下側支持面との間の側縁からウェブの幅方向側面に向けて突出させて吸着した取付状態で前記カッター支持機構におけるカッター着脱部の回転中心線を前記支持台の両支持板のうち一方の支持板の外側でウェブの幅方向側面に向けて配置し、
前記取付状態で、両支持板において上側支持面よりも上方に位置する上端面は、レールの頭部上面よりも下方に位置し、その上端面の上方にはレールの頭部の幅方向側面に隣接してレールの頭部の幅方向側面から幅方向片側へ延びる空域を有し、
前記取付状態で、前記支持台の幅方向両側のうち片側には支持台の長手方向に沿って移動可能に支持されて所定スライド位置で固定し得るスライド台を設け、前記駆動ユニットはこのスライド台に対し載置されて支持台の幅方向の軸心を中心に回動可能に支持されて所定回動位置で固定可能になっており、
前記両支持板を支持台に対し締結手段により着脱可能に取り付けるとともに、この締結手段には支持台に対する両支持板の取付位置を調節可能にした移動調節部を設け、この移動調節部は、支持台に螺合されて支持板を支持台に締め付ける締付ねじと、支持板に形成されてその締付ねじが相対移動可能に挿通される締付孔とを有している
ことを特徴とする磁力固定式レール穿孔機。
【発明の詳細な説明】
【技術分野】
【０００１】
本発明は、レールのウェブに対し枕木との連結孔を穿つレール穿孔機をレールに対し取り付ける手段の改良に関するものである。
【背景技術】
【０００２】
従来、下記特許文献１においては、穿孔時にレール穿孔機をレールに取り付ける際にレールのウェブを幅方向両側から挟持するレール挟持機構が開示されている。
【特許文献１】特開２００４−３２２２３８号公報
【発明の開示】
【発明が解決しようとする課題】
【０００３】
上記特許文献１に記載されたレール挟持機構はレールの頭部の上方を跨いでレールの幅方向両側に配設されるため、車両が実際に通るレールの敷設状態のままではレールのウェブに対し連結孔を穿つことができない。
【０００４】
この発明は、車両が実際に通るレールの敷設状態のままでもレールのウェブに対し連結孔を穿つことができるレール穿孔機を提供することを目的としている。
【課題を解決するための手段】
【０００５】
後記実施形態の図面（図１〜３）の符号を援用して本発明を説明する。
請求項１の発明にかかる磁力固定式レール穿孔機は、下記（イ）〜（ト）のように構成されている。
（イ）  レール１２の上下方向Ｚの両側でレール１２の長手方向Ｘへ延設した頭部１３と台部１４との間にその頭部１３及び台部１４に沿って延設したウェブ１５に対しレール１２に対する取付状態で連結孔をレール１２の幅方向へ穿つレール穿孔機１は、駆動源３とこの駆動源３に連動して回転するカッター着脱部５を有するカッター支持機構４とを備えた駆動ユニット２と、その駆動ユニット２を支持する支持台６とを備えている。レール１２に対する取付状態で、前記駆動ユニット２と支持台６とがレール１２の頭部１３の上面１３ａよりも下方でレール１２における頭部１３や台部１４やウェブ１５の幅方向Ｙの側面１３ｃ，１４ｃ，１５ａよりも幅方向Ｙの両側のうち片側に配置される。この支持台６の長手方向Ｘの両端部には、レール１２の頭部１３の下面１３ｂと台部１４の上面１４ａとに当てがわれて支持台６の上下方向Ｚの動きを規制する支持面２１，２４を有する支持板８を設けている。この両支持板８間で支持台６にはレール１２の頭部１３と台部１４との間でウェブ１５の幅方向Ｙの側面１５ａに吸着される吸着面１１を有する磁力吸着部１０を設けている。この磁力吸着部１０の吸着面１１をウェブ１５の幅方向Ｙの側面１５ａに吸着した取付状態で、前記カッター支持機構４におけるカッター着脱部５の回転中心線５ａを前記支持台６の両支持板８のうち一方の支持板８の外側でウェブ１５の幅方向Ｙの側面１５ａに向けて配置している。
【０００６】
従って、レール穿孔機１をレール１２に対し取り付ける手段として、支持台６の磁力吸着部１０の吸着面１１をウェブ１５の幅方向Ｙの側面１５ａに吸着するようにしたので、レール穿孔機１をレール１２の頭部１３の上方を跨ぐことなくレール１２の幅方向Ｙの両側のうち片側に配置することができる。しかも、レール１２に対する取付状態で、駆動ユニット２と支持台６とがレール１２の頭部１３の上面１３ａよりも下方でレール１２における頭部１３や台部１４やウェブ１５の幅方向Ｙの側面１３ｃ，１４ｃ，１５ａよりも幅方向Ｙの両側のうち片側に配置されるので、レール１２の頭部１３の上面１３ａを走行する車輪とレール穿孔機１との接触を回避することができる。
【０００７】
（ロ）  前記取付状態で、両支持板８における上側支持面２１よりも上方に位置する上端面２３は、レール１２の頭部１３の上面１３ａよりも下方に位置し、その上端面２３の上方にはレール１２の頭部１３の幅方向Ｙの側面１３ｃに隣接する空域Ｓを有している。従って、レール１２の頭部１３の上面１３ａを走行する車輪とレール穿孔機１との接触をこの空域Ｓにより回避することができる。
【０００８】
さらに、前記取付状態で、前記空域Ｓはレール１２の頭部１３の幅方向Ｙの側面１３ｃから幅方向Ｙの片側へ延びている。従って、レール１２の頭部１３の上面１３ａを走行する車輪とレール穿孔機１との接触をこの空域Ｓにより一層回避することができる。
【０００９】
（ハ）  前記取付状態で、前記磁力吸着部１０の吸着面１１は両支持板８における上側支持面２１と下側支持面２４との間の側縁１６ｂからウェブ１５の幅方向Ｙの側面１５ａに向けて突出している。従って、支持台６の磁力吸着部１０の吸着面１１をウェブ１５の幅方向Ｙの側面１５ａに対し接触させて吸着させることができる。
【００１０】
（ニ）  前記取付状態で、前記両支持板８にはレール１２における頭部１３の幅方向Ｙの側面１３ｃと台部１４の幅方向Ｙの側面１４ｃとに当てがわれる側面２２，２５を設けている。例えば、前記両支持板８の上側側面２２は頭部１３の幅方向Ｙの側面１３ｃに沿って設けられ、前記両支持板８の上側支持面２１は頭部１３の下面１３ｂに沿って設けられ、前記磁力吸着部１０の吸着面１１はウェブ１５の幅方向Ｙの側面１５ａに沿って設けられ、前記両支持板８の下側支持面２４は台部１４の上面１４ａに沿って設けられ、前記両支持板８の下側側面２５は台部１４の幅方向Ｙの側面１４ｃに沿って設けられている。従って、両支持板８の上下両支持面２１，２４によりレール１２に対する支持台６の上下方向Ｚの動きを規制することができるばかりでなく、両支持板８の側面２２，２５の機能により磁力吸着部１０の機能と相俟ってレール１２に対する支持台６の幅方向Ｙの動きを規制することができる。
（ホ）  前記取付状態で、前記支持台６の幅方向Ｙの両側のうち片側には支持台６の長手方向Ｘに沿って移動可能に支持されて所定スライド位置で固定し得るスライド台７を設け、前記駆動ユニット２はこのスライド台７に対し載置されて支持台６の幅方向Ｙの軸心７ａを中心に回動可能に支持されて所定回動位置で固定可能になっている。従って、駆動ユニット２におけるカッター支持機構４のカッター着脱部５の位置を変更することができる。
【００１１】
（へ）  前記両支持板８を支持台６に対し締結手段９により着脱可能に取り付けている。従って、両支持板８を交換して、レール穿孔機１をサイズの異なるレール１２に取り付けることができる。
【００１２】
（ト）  前記締結手段９は支持台６に対する両支持板８の取付位置を調節可能にした移動調節部を有している。この移動調節部は、支持台６に螺合されて支持板８を支持台６に締め付ける締付ねじ１９，２０と、支持板８に形成されてその締付ねじ１９，２０が相対移動可能に挿通される締付孔１７，１８とを備えている。従って、締結手段９の移動調節部により、両支持板８の上下両支持面２１，２４や両支持板８の上下両側面２２，２５をレール１２に対し接触させて支持することができる。
【発明の効果】
【００１３】
本発明は、車両が実際に通るレール１２の敷設状態のままでもレール１２のウェブ１５に対し連結孔を穿つことができる。
【発明を実施するための最良の形態】
【００１４】
以下、本発明の一実施形態にかかる磁力固定式レール穿孔機について図１，２，３を参照して説明する。
図１〜３に示すレール穿孔機１において、駆動源としての電動モータ３と、この電動モータ３の出力伝達機構に連動して回転するカッター着脱部５を有するカッター支持機構４とを備えた駆動ユニット２は、支持台６の幅方向Ｙの表裏両側のうち表側で、支持台６の長手方向Ｘに沿って移動可能に支持されて所定スライド位置で固定し得るスライド台７に対し載置され、そのスライド台７に対し支持台６の幅方向Ｙの軸心７ａを中心に回動可能に支持されて所定回動位置で固定し得る。この支持台６の長手方向Ｘの両端部にはそれぞれ支持板８が締結手段９により着脱可能に取り付けられている。この両支持板８間で支持台６の裏側には吸着面１１を有する磁力吸着部１０が着脱可能に取り付けられている。
【００１５】
一方、図１〜３に示すレール１２において、その上下方向Ｚの両側でレール１２の長手方向Ｘへ延設された頭部１３と台部１４との間にはその頭部１３及び台部１４に沿ってウェブ１５が延設されている。このレール１２としては、例えば、図１（ａ）（ｂ）に示すように頭部１３の上下両面１３ａ，１３ｂのうち上面１３ａと台部１４の上下両面１４ａ，１４ｂのうち下面１４ｂとの間の背丈Ｈの高いものと、図３（ａ）（ｂ）に示すようにその背丈Ｈの低いものとが規格品として存在している。
【００１６】
前記支持板８としては、図１（ｃ）に示すように背丈Ｈの高いレール１２の場合に使用される長さＬの長いものと、図３（ｃ）に示すように背丈Ｈの低いレール１２の場合に使用される長さＬの短いものとが用意されている。前述したように支持台６に対し締結手段９により着脱可能に取り付けられたいずれの支持板８においても、幅方向Ｙの両側縁１６ａ，１６ｂ間で上下両側に締付孔１７が貫設されているとともに、この上下両締付孔１７間で前記磁力吸着部１０に対し反対側になる側縁１６ａにはＵ状に切り欠かれた締付孔１８が貫設され、いずれの締付孔１７，１８にも締付ねじ１９，２０が挿通されて支持台６に螺着されている。この締付孔１７，１８と締付ねじ１９，２０とは支持台６に対する支持板８の移動調節部として機能し、支持台６に対し締付ねじ１９，２０を緩めた状態で支持板８を締付ねじ１９，２０に対する締付孔１７，１８の遊びの範囲で移動調節することができる。前記磁力吸着部１０の吸着面１１は磁力吸着部１０側になる側縁１６ｂから突出している。この支持板８の上端部においては、この側縁１６ｂの上端部から連続する支持面２１と、この支持面２１から連続する側面２２と、この側面２２から連続する上端面２３とが形成されている。また、この支持板８の下端部においては、この側縁１６ｂの下端部から連続する支持面２４と、この支持面２４から連続する側面２５と、この側面２５から連続する上端面２６とが形成されている。
【００１７】
支持板８を支持台６に対し緩めた状態でレール穿孔機１をレール１２の幅方向Ｙの片側に配置して、磁力吸着部１０の吸着面１１をウェブ１５の幅方向Ｙの側面１５ａに吸着した取付状態で、レール１２に対する支持板８の位置を調節した後に支持板８を支持台６に締め付けて固定すると、支持板８の上側支持面２１が頭部１３の下面１３ｂに当てがわれるとともに支持板８の下側支持面２４が台部１４の上面１４ａに当てがわれて、支持台６の上下方向Ｚの動きを規制する。また、支持板８の上側側面２２が頭部１３の側面１３ｃに当てがわれるとともに支持板８の下側側面２５が台部１４の側面１４ｃに当てがわれて、支持台６の幅方向Ｙの動きを磁力吸着部１０による吸着と相俟って規制する。前記カッター支持機構４におけるカッター着脱部５の回転中心線５ａは支持台６の両支持板８のうち一方の支持板８の外側でウェブ１５の幅方向Ｙの側面１５ａに向けて配置される。このカッター着脱部５に取り付けられたカッターにより、ウェブ１５に対し連結孔を穿つことができる。前記取付状態で、両支持板８において上側支持面２１よりも上方に位置する上端面２３は、レール１２の頭部１３の上面１３ａよりも距離Ａだけ下方に位置し、その上端面２３の上方には頭部１３の幅方向Ｙの側面１３ｃに隣接してその側面１３ｃから幅方向Ｙの片側へ距離Ｂだけ延びる空域Ｓが生じる。なお、前記取付状態で、両支持板８において下側支持面２４よりも下方に位置する下端面２６は、レール１２の台部１４の下面１４ｂよりも上方に位置している。
【００１８】
本実施形態は下記の効果を有する。
＊  支持台６の磁力吸着部１０の吸着面１１をウェブ１５の幅方向Ｙの側面１５ａに吸着するようにしてレール穿孔機１をレール１２に対し幅方向Ｙの片側に配置した状態で取り付けるので、レール穿孔機１をレール１２の頭部１３の上方を跨ぐことなく、車両が実際に通るレール１２の敷設状態のままでもレール１２のウェブ１５に対し連結孔を穿つことができる。
【００１９】
＊  レール１２の頭部１３の幅方向Ｙの側面１３ｃに隣接する空域Ｓを有しているので、頭部１３の上面１３ａを走行する車輪とレール穿孔機１との接触をこの空域Ｓにより回避することができる。
【００２０】
＊  支持台６の支持板８及び磁力吸着部１０により、レール１２に対する支持台６の上下方向Ｚの動きや幅方向Ｙの動きを規制することができる。
＊  支持台６の磁力吸着部１０の吸着面１１を台上に載置すれば、レール１２以外のものも容易に穿孔することができる。
【００２１】
前記実施形態以外にも例えば下記のように構成してもよい。
・  支持台６の支持板８についてはレール１２のサイズや外形状に合わせた各種サイズや外形状のものを用意することができる。
【００２２】
・  支持台６の磁力吸着部１０についてはレール１２のサイズや外形状に合わせた各種サイズや外形状のものを用意することができる。
【図面の簡単な説明】
【００２３】
【図１】（ａ）は本実施形態にかかる磁力固定式レール穿孔機を所定規格のレールに取り付けた状態を示す正面図であり、（ｂ）は（ａ）の背面図であり、（ｃ）はその取り付けで利用した支持板を示す正面図である。
【図２】（ａ）は図１（ａ）の底面図であり、（ｂ）は図１（ａ）の側面図であり、（ｃ）は（ｂ）で支持台に対し駆動源及びカッター支持機構を回動させた側面図である。
【図３】（ａ）は本実施形態にかかる磁力固定式レール穿孔機をサイズの異なる別のレールに取り付けた状態を示す正面図であり、（ｂ）は（ａ）の背面図であり、（ｃ）はその取り付けで利用した支持板を示す正面図である。
【符号の説明】
【００２４】
１…磁力固定式レール穿孔機、３…駆動源、４…カッター支持機構、５…カッター着脱部、５ａ…カッター着脱部の回転中心線、６…支持台、８…支持板、１０…磁力吸着部、１１…吸着面、１２…レール、１３…レールの頭部、１３ａ…頭部の上面、１３ｂ…頭部の下面、１３ｃ…頭部の側面、１４…レールの台部、１４ａ…台部の上面、１４ｃ…台部の側面、１５…レールのウェブ、１５ａ…ウェブの側面、２１…支持板の上側支持面、２２…支持板の上側側面、２３…支持板の上端面、２４…支持板の下側支持面、２５…支持板の下側側面、Ｓ…空域、Ｘ…レールの長手方向、Ｙ…レールの幅方向、Ｚ…レールの上下方向。
【図１】
0004971249.tif 000002
【図２】
0004971249.tif 000003
【図３】
0004971249.tif 000004